Podtech/llm-jp-corpus-v4-ja_patent huggingface dataset:
(57)【要約】【課題】折角の輝度の高いＬＥＤ照明を有効に利用するために、構造や設置を変更して設置することにより、周縁部も明るく照らすＬＥＤ照明機器の取付構造を開発・提供することにある。【解決手段】天井面、柱、あるいは壁面に設置するＬＥＤ照明機器において、発光体であるＬＥＤチップ（１）を、これらの設置面（Ｘ）より突出して設け、発光体が直接見えるよう形成したことを特徴とするＬＥＤ照明機器の取付構造より構成され、さらに、ＬＥＤ照明機器のＬＥＤチップ（１）を、設置面（Ｘ）より突出して設けるＬＥＤ照明機器の取付構造である。【選択図】    図１
2013218941.tif 000002
【特許請求の範囲】
【請求項１】
天井面、柱、あるいは壁面の設置面（Ｘ）に設置するＬＥＤ照明機器（１）において、発光体であるＬＥＤチップ（２）を、該機器（１）の側面から直接見えるように設置したことを特徴とするＬＥＤ照明機器の取付構造。
【請求項２】
ＬＥＤ照明機器（１）のＬＥＤチップ（２）を、天井面、柱、あるいは壁面等の設置面（Ｘ）と同等か、あるいは、設置面（Ｘ）より外部に向けて突出して設けることを特徴とするＬＥＤ照明機器の取付構造。      
【請求項３】
天井面、柱、あるいは壁面に設置するＬＥＤ照明機器（１）において、基板（３）に、一又は複数個のＬＥＤチップ（２）を設け、該基板（３）の縁部（４）を、透明素材で形成するか、あるいは一部を開口して形成し、該縁部（４）を設置面（Ｘ）より突出して設けることを特徴とするＬＥＤ照明機器の取付構造。
【発明の詳細な説明】
【技術分野】
【０００１】
この発明は、ＬＥＤ照明機器の取付構造に関する。
【背景技術】
【０００２】
従来、電気を流すと発光する半導体の一種であり、従来の光源には真似できない優れた特徴を持つ発光ダイオードが開発され、該発光ダイオードは、別名“ＬＥＤ”と呼ばれ、従来の電球や蛍光灯等の光源に比べて、発光が明るく、熱を帯びることなく、しかも、電気代が安価であるとの特徴を有し、ＬＥＤ照明器具として多く使用されている。
【０００３】
そもそも、ＬＥＤ照明器具は、蛍光剤を透明のエポキシまたはシリコン樹脂に混合して蛍光体とし、次に、この蛍光体を、配線処理を済ませたＬＥＤチップの上部に封止して仕上げられたものである。
【０００４】
しかし、ＬＥＤチップを複数個用いて構成されるＬＥＤ照明器具において、これらＬＥＤチップの光りは、主に、チップ表面と一部側面から放出されるが、透明樹脂の先端はレンズ作用を持っており、中心軸方向に強く光りを放出されるようになっている。
【０００５】
従って、照らす方向には明るく照らすが、設置箇所の周囲には光が届かず、ＬＥＤ証明機器の周囲は、暗いものであり、天井に装着した場合は、天井面の周縁部が、大変、暗いものであり、せっかくの明るい光源が無駄となっている場合が多い。
【０００６】
それは天井面に限らず、壁面にＬＥＤ照明機器を壁面に設置した場合にも、放出した光線が突出した柱に当たり遮断される場合もあり、ＬＥＤ照明機器を有効に利用出来ていないという事実があり、それに対して周囲及び後方へと光線を発するＬＥＤランプは存在している。例えば、特許文献１のように。
【先行技術文献】
【特許文献】
【０００７】
【特許文献１】登録第３１７１６６８号実用新案公報
【０００８】
しかし、この技術は、ランプシェードの内に直立するように反射部品を取り付ける構造のものであり、これでは反射部品がＬＥＤの発光体からの光線を遮るものであった。
【発明の概要】
【発明が解決しようとする課題】
【０００９】
この発明が解決しようとする課題は、折角の輝度の高いＬＥＤ照明を有効に利用するために、構造や設置位置を変更することにより、周縁部も明るく照らすＬＥＤ照明機器の取付構造を開発・提供することにある。
【課題を解決するための手段】
【００１０】
そこで、この発明は、ＬＥＤ照明器具を改良することにより、さらに、ＬＥＤ照明器具の設置部分を変更することにより、設置周囲の暗い部分を少なくして明るく照らすＬＥＤ照明機器の取付構造を開発・提供することにある。
【発明の効果】
【００１１】
この発明によると、ＬＥＤ照明器具におけるＬＥＤチップの発光体を、天井等の設置面より側面よりよく見えるよう設けることにより、設置面の周りにも光が届き、明るくなる等の極めて有益なる効果を奏する。
【００１２】
また、ＬＥＤ照明器具の縁部であり、特に、ＬＥＤチップの発光体の周囲を透明に形成することにより、さらに設置面の周囲にも光が届き、ＬＥＤ照明器具を有効に利用できる等の効果を奏する。
【図面の簡単な説明】
【００１３】
【図１】この発明の一実施例を示し、（Ａ）は、一部欠截正面図であり、（Ｂ）は、底面図である。
【図２】この発明の他の実施例を示し、（Ａ）は、一部欠截正面図であり、（Ｂ）は、底面図である。
【図３】従来例を示す一部欠截正面図である。
【発明を実施するための形態】
【００１４】
以下、この発明について詳細に説明するが、この発明においては、以下の記述に限定されるものではなく、この発明の要旨を逸脱しない範囲においては適宜変更可能である。
【実施例】
【００１５】
次に、この発明の一実施例を図面に基づいて詳述すると、天井面、柱面、あるいは壁面等の設置面（Ｘ）に設置するＬＥＤ照明機器本体（１）において、発光体であるＬＥＤチップ（２）を、該本体機器（１）の側面から直接見えるように設置したことを特徴とするＬＥＤ照明機器の取付構造から構成されるものである。
【００１６】
また、ＬＥＤ照明機器（１）のＬＥＤチップ（２）を、天井面、柱、あるいは壁面等の設置面（Ｘ）と同等か、あるいは、該設置面（Ｘ）より外部に向けて突出して設けることを特徴とするＬＥＤ照明機器の取付構造から構成される。
【００１７】
さらに、天井面、柱、あるいは壁面に設置するＬＥＤ照明機器（１）において、基板（３）に、一又は複数個のＬＥＤチップ（２）を設け、該基板（３）の縁部（４）を、透明素材で形成するか、あるいは一部を開口して形成し、該縁部（３）を設置面（Ｘ）より突出して設けたＬＥＤ照明機器の取付構造から構成されるものである。
【００１８】
尚、ＬＥＤ照明機器本体（１）は、図面では、ねじ込み式のものを示し、大型の照明機器を示したが、天井に埋め込み下方を照らす小型のダウンライトであってもよい。
【００１９】
さらに、（５）は、レンズ付き蓋部であり、蓋板（５ａ）に、ＬＥＤチップ（２）の数に応じた適数個のレンズ（５ｂ）を一体に形成したものであり、縁部（４）、あるいはＬＥＤ照明機器（１）の基板部（３）に、ビス等の固定部材（６）で固定されるよう構成したものであってもよい。
【００２０】
また、図面では、レンズ付き蓋部（５）は、ＬＥＤレンズ（５ｂ）と蓋板（５ａ）が一体に形成したものを示したが、別個に形成したものでもよいものである。
【産業上の利用可能性】
【００２１】
この発明よると、ＬＥＤ照明機器の構造の技術を確立し、それに基づいて大量に製造・使用・販売することにより、産業上の利用可能性があるものである。
【符号の説明】
【００２２】
１  ＬＥＤ照明機器本体
２  ＬＥＤチップ
３  基板
４  縁部
５  レンズ付き蓋部
５ａ  蓋板
５ｂ  レンズ
６  固定部材
Ｘ  設置面
【図１】
2013218941.tif 000003
【図２】
2013218941.tif 000004
【図３】
2013218941.tif 000005
(57)【要約】【課題】  この発明はコンセントから発生する代表的な火災事故としてトラッキング現象による火災、コンセントの刃受けバネの緩みによる過熱やたこ足配線などによる過熱に対して、コンセントの過熱状態を示温剤の変色によって、早めに視覚で分かるようにした過熱表示コンセントを提供する。【解決手段】  コンセントの差込口周辺のカバーに温度によって変色する示温剤をつけて、異常に過熱した時に示温剤の変色によってコンセントの過熱状態を予知させることを特徴とする過熱表示コンセントである。【選択図】図１
2013218973.tif 000002
【特許請求の範囲】
【請求項１】
コンセントの差込口の周りに示温剤をつけ、過熱した時に示温剤の変色により内部状態を予知させることを特徴とする過熱表示コンセント。
【発明の詳細な説明】
【技術分野】
【０００１】
この発明は、コンセントの火災予知のための、過熱表示コンセントに関するものである。
【背景技術】
【０００２】
従来、コンセントから発生する代表的火災事故として、トラッキング現象による火災がある。予防としては、定期的にコンセントを点検し、電源プラグに積もった埃をとる。
また電源プラグの抜き差しが極端に多い場合、コンセントの刃受けバネが緩むと接触抵抗が増して過熱、火災の原因となる。
またテーブルタップでたこ足配線をして、コンセントの定格、１５Ａという上限を超えての使用は、コンセントが過熱し、火災の危険性がある。
コンセントの過熱による防止方法として、電源プラグをコンセントからプランジャーによって抜き、給電を遮断する発明が知られている（特許文献１）。またコンセントに内蔵されたリレーが動き、給電を遮断する発明も知られている（特許文献２）。
【先行技術文献】
【特許文献】
【０００３】
【特許文献１】特開２０００−３４８８２５号広報
【特許文献２】特開平８−２７５３７９号広報
【発明の概要】
【発明が解決しようとする課題】
【０００４】
従来より次の問題があった。
（イ）  トラッキング現象の防止策として、電源プラグに耐トラッキング性能の優れたユリア樹脂やプラグに埃をさけるカバーの取付がある。しかし完全にはトラッキングによる火災を防げない。
（ロ）  コンセントの刃受けバネの緩みによる過熱は、手で触ってみたり、緩みを感じたり、差込口の焼損による変色で判断している。
（ハ）  たこ足配線による過熱はコンセントの定格上限１５Ａの認識や差込口の焼損の変色で判断している。
本発明は、これらの問題点を解決するために考えたものである。
【課題を解決するための手段】
【０００５】
コンセントの差込口周りのカバーに示温剤をつけて過熱すると、その部分が変色し、内部状態を予知するものである。
以上を特徴とする過熱表示コンセントである。
【発明の効果】
【０００６】
本発明はトラッキング現象、刃受けバネの緩み、たこ足配線などコンセントの過熱を焼損する前に、危険を示温剤で表示させ、早めに部品の交換を促し、火災発生を防止しようとするものである。
製品として構造が簡単で、変色することにより視覚的に解るようにしたもので、家庭用電気製品として普及させ、火災防止に役立てることを目的としている。
【図面の簡単な説明】
【０００７】
【図１】本発明の斜視図
【発明を実施するための形態】
【０００８】
本発明を実施の形態を説明する。
コンセント（１）のプラグ差込口（２）周りのカバーのより温度が高くなるところに示温剤（３）をつける。
示温剤はコンセントの焼損する前の温度５０℃〜６０℃程度のものをつける。
示温剤は６０℃で赤色に変色するものを用いた。
本発明は以上の構成よりなっている。
本発明を使用する方法として、コンセントが過熱し温度が上昇して６０℃に達して赤色に変色した時は直ぐに使用を中止し、原因を調査して必要に応じてコンセントの取替え、配線変更または清掃などの処理を行う。
【符号の説明】
【０００９】
１  コンセント本体
２  プラグ差込口
３  示温剤
【図１】
2013218973.tif 000003